(57)【要約】【課題】環境問題を生じることなく、風船飛ばしに供して好適なゴム風船用止め具を提供する。【解決手段】生分解性樹脂により上下縦長に形成した止め具本体１と、所定長さを持つ木綿の糸２とを含む。止め具本体１の板面の上方部位には、ゴム風船３の口部３ａを封じるための止め孔５が貫通状に形成されている。止め具本体１の左側縁１３の上方部位には、糸２とゴム風船３の口部３ａとを止め孔５に導入案内するための導入口６が切り欠き形成されている。止め具本体１の左右側縁１３・１５には、止め穴５よりも下方部位において、止め具本体１に糸２を巻き付けるための糸巻き用凹み７が形成されている。止め具本体１の上端縁には、前記止め孔５に通した糸２の巻始端を掛け止めるための切り込み９を入れてある。ゴム風船３の口部３ａは、止め孔５に通したのち止め具本体１の上端部に巻き付けて止める。【選択図】図１
0003113547.tif 000002
【実用新案登録請求の範囲】
【請求項１】
生分解性樹脂で成形された薄板状の止め具本体（１）と、所定長さを持つ木綿の糸（２）とを含み、
止め具本体（１）の板面に、ゴム風船（３）の口部（３ａ）を挟んで封じるための止め孔（５）が貫通状に形成されており、
止め具本体（１）の外縁に、ゴム風船（３）の口部（３ａ）を止め孔（５）に導入案内するための導入口（６）が切り欠き形成されており、
止め具本体（１）に、糸（２）の一端を掛け止めるための手段を有するゴム風船用止め具。
【請求項２】
左右幅寸法が小さくて上下縦長に形成された薄板状の止め具本体（１）と、所定長さを持つ糸（２）とを含み、
止め具本体（１）の板面の上方部位に、ゴム風船（３）の口部（３ａ）を挟んで封じるための止め孔（５）が貫通状に形成されており、
止め具本体（１）の左側縁（１３）の上方部位に、ゴム風船（３）の口部（３ａ）を止め孔（５）に導入案内するための導入口（６）が、止め孔（５）と連通する状態でＶ字形に切り欠き形成されており、
止め具本体（１）の左右側縁（１３）・（１５）の少なくとも一方には、止め穴（５）よりも下方部位に、止め具本体（１）に糸（２）を巻き付けるための糸巻き用凹み（７）が形成されており、
止め具本体（１）の外周縁の一箇所に、糸（２）の巻始端を掛け止めるための切り込み（９）が入っているゴム風船用止め具。
【請求項３】
止め具本体（１）の右側縁（１５）の上方部位に、止め具本体（１）にゴム風船（３）の口部（３ａ）を巻き付けるための風船用凹み（１０）が形成されている請求項２記載のゴム風船用止め具。
【請求項４】
止め具本体（１）の上端縁（１４）に、止め穴（５）に通した糸（２）の巻始端を掛け止める前記切り込み（９）が設けられており、
止め具本体（１）の左右側縁（１３）・（１５）には、止め孔（５）よりも下方部位において、止め具本体（１）に糸（２）を巻き付けるための糸巻き用凹み（７）が形成されている請求項３記載のゴム風船用止め具。
【請求項５】
止め具本体（１）が、生分解性樹脂で成形されており、
糸（２）が、木綿糸である請求項４記載のゴム風船用止め具。
【考案の詳細な説明】
【技術分野】
【０００１】
本考案は、膨らませたゴム風船の口部を容易確実に封じることができる糸付きのゴム風船用止め具に関する。
【背景技術】
【０００２】
添付図面で説明すると、本考案に係るゴム風船用止め具は、大要、次の構成からなる。
Ａ．薄板状の止め具本体１と、所定長さを持つ糸２とを含むこと。
Ｂ．止め具本体１の板面に、ゴム風船３の口部３ａを挟んで封じるための止め孔５が貫通状に形成されていること。
Ｃ．止め具本体１の外縁に、ゴム風船３の口部３ａを止め孔５に導入案内するための導入口６が、止め孔５と連通する状態で切り欠き形成されていること。
Ｄ．止め具本体１に、糸２の巻始端を掛け止める手段を有すること。
Ｅ．止め具本体１に、糸２を巻きつける手段を有すること。
かかるゴム風船用止め具の基本形態は、特許文献１、２に公知である。別に、特許文献３が認められる。
【０００３】
【特許文献１】実開平１−１１２８９５号公報（第３〜４頁、第１図、第２図）
【特許文献２】実公昭５６−４０７９号公報（第２欄２５〜３５行、第１図）
【特許文献３】特公平４−４８４７８号公報（第４図）
【考案の開示】
【考案が解決しようとする課題】
【０００４】
従来のゴム風船用止め具は、総じて小片化した止め具本体が指先でつかみ難く、膨らませたゴム風船の口部を封止する作業が子供たちに困難であった。多数のゴム風船用止め具をひとまとめにしたとき、止め具本体や特に糸が絡み付いて、使用時に個別に分離するのが面倒であった。そのため、止め具本体に糸を巻き付ける手段を持っているが、その場合に糸の長さを十分に確保できなかった。止め具本体に対する糸の巻始端の掛け止め不良で、止め具本体から糸が抜け外れ、空中に浮かしたゴム風船が止め具本体ごと不用意に飛んで行きがちであった。
【０００５】
ある種の催事では、例えば学童達が多数のゴム風船を一斉に大空へ放つ風船飛ばしの企画がかつては持てはやされていた。その際、風船自体は多くが天然ゴム（ラテックス）製なので、地面に落ちた際に時間の経過と共に徐々に分解されて行く。しかし、従来の止め具本体は、ポリエチレン、ポリプロピレンなどのプラスチック製なので、いつまでも分解されずに残り、環境問題が生じていた。そのため、風船飛ばしは取り止められているのが現状である。
【０００６】
そこで本考案の目的は、止め具本体が小さくても手でつかみ易くて、ゴム風船の口部を手早く確実に封止できるゴム風船用止め具を得るにある。本考案の目的は、できるだけ糸を長くしながらも、互いに絡み付き難いゴム風船用止め具を得るにある。本考案の目的は、止め具本体から糸の巻始端が抜け外れ難いゴム風船用止め具を得るにある。本考案の目的は、環境問題を生じないゴム風船用止め具を得るにある。
【課題を解決するための手段】
【０００７】
請求項１記載の本考案に係るゴム風船用止め具は、生分解性樹脂で成形された薄板状の止め具本体１と、所定長さを持つ木綿の糸２とを含む。止め具本体１の板面には、ゴム風船３の口部３ａを挟んで封じるための止め孔５が貫通状に形成されている。止め具本体１の外縁には、ゴム風船３の口部３ａを止め孔５に導入案内するための導入口６が切り欠き形成されている。止め具本体１には、糸２の一端を掛け止めるための手段を有する。
【０００８】
ここで生分解性樹脂とは、使用中は従来の樹脂と同程度の機能を保ちながら、自然界に存在する微生物の働きによって低分子化合物に分解され、最終的には炭酸ガスと水とに分解される高分子素材をいう。
【０００９】
生分解性樹脂には、脂肪族ポリエステル、ポリアミノ酸、ポリビニルアルコール（ＰＶＡ）、ポリウレタン（ＰＵ）、脂肪族ポリエステルのカーボネート共重合体、脂肪族ポリエステルとポリアミドのコポリマー、澱粉やセルロースの天然物からのものなどがあるが、本考案では最終的に分解されるものであれば特に限定されずどのようなものでも良い。脂肪族ポリエステルとしては、ポリカプロラクトン（ＰＣＬ）、ポリブチレンサクシネート（ＰＢＳ）、ポリエチレンサクシネート（ＰＥＳ）、ポリ乳酸（ＰＬＡ）などがある。ポリアミノ酸としては、ポリアスパラギン酸、ε−ポリリジン、ポリ−Ｙ−Ｌグルタメート、ポリ−Ｙ−グルタミン酸、ポリ−Ｌ−グルタミン酸などがある。天然物からのものとしては、キチン、キトサン、アルギン酸、グルテン、コラーゲン、バクテリアセルロース、プルラン、カードランなどがある。
【００１０】
請求項２記載の本考案に係るゴム風船用止め具は、左右幅寸法が小さくて上下縦長に形成された薄板状の止め具本体１と、所定長さを持つ糸２とを含む。止め具本体１の板面の上方部位には、ゴム風船３の口部３ａを挟んで封じるための止め孔５が貫通状に形成されている。止め具本体１の左側縁１３の上方部位には、ゴム風船３の口部３ａを止め孔５に導入案内するための導入口６が、止め孔５と連通する状態でＶ字形に切り欠き形成されている。止め具本体１の左右側縁１３・１５の少なくとも一方には、止め穴５よりも下方部位において、止め具本体１に糸２を巻き付けるための糸巻き用凹み７が形成されている。止め具本体１の外周縁の一箇所には、糸２の巻始端を掛け止めるための切り込み９が入っている。
【００１１】
請求項３記載の本考案は、請求項２記載のゴム風船用止め具において、止め具本体１の右側縁１５の上方部位に、止め具本体１にゴム風船３の口部３ａを巻き付けるための風船用凹み１０が形成されている。
【００１２】
請求項４記載の本考案は、請求項３記載のゴム風船用止め具において、止め具本体１の上端縁１４に、止め穴５に通した糸２の巻始端を掛け止める切り込み９が設けられており、止め具本体１の左右側縁１３・１５には、止め孔５よりも下方部位において、止め具本体１に糸２を巻き付けるための糸巻き用凹み７が形成されている。
【００１３】
請求項５記載の本考案に係るゴム風船用止め具は、請求項４記載の止め具本体１が生分解性樹脂で成形されており、糸２が木綿糸である。
【考案の効果】
【００１４】
請求項１記載のゴム風船用止め具によれば、止め具本体１が生分解性樹脂製の成形品であり、かつ木綿糸２を用いているので、これら構成部材は微生物の働きで最終的に分解され、環境問題を生じることはない。したがって本考案のゴム風船用止め具は、風船飛ばしに供して有用である。
【００１５】
請求項２記載のゴム風船用止め具によれば、上下縦長の止め具本体１の上方部位に止め孔５と導入口６とが設けられているので、止め具本体１の下部を手でつかんでゴム風船３の口部３ａを止め孔５で封じる作業が子供達でも容易に手早く行える。止め具本体１の左右側縁１３・１５の少なくとも一方には、止め孔５よりも下方部位に糸２を巻き付けるための糸巻き用凹み７が形成されているので、止め孔５の機能を阻害することなく、糸２をできるだけ長くして糸巻き用凹み７に絡み付かない状態で巻き付けておける。これにより、長い糸２で空中にゴム風船３を浮遊させることができる。
【００１６】
請求項３記載のゴム風船用止め具によれば、止め具本体１の上方部位に止め孔５に通じる導入口６を、止め具本体１の右側縁１５に風船用凹み１０をそれぞれ設けたので、止め孔５と止め具本体１の右側縁１５との幅寸法が小さくなることも相まって、ゴム風船３の口部３ａを引き伸ばしながら止め具本体１の上方部位に巻き付けて封止する作業が位置ずれなく容易に行える。
【００１７】
請求項４記載のゴム風船用止め具によれば、前記止め孔５に糸２とゴム風船３の口部３ａとが通されるようにしたので、ゴム風船３の口部３ａで止め孔５の周縁に糸２を確りと押さえ付けることができる。したがって、止め具本体１の上端縁に糸２の巻始端を掛け止めた状態において、糸２が強く引っ張られても、止め具本体１から糸２の巻始端が不用意に外れることがない。止め具本体１の左右両側縁１３・１５の下方部位に糸巻き用凹み７を設けてあるので、ここに糸２を長くして巻き付けても、位置ずれすることがなく糸２どうしの絡み付きを防止するのに有利である。
【００１８】
請求項５記載のゴム風船用止め具によれば、請求項４記載の本考案の作用効果に加えて、生分解性樹脂製の止め具本体１と木綿の糸２とが環境問題を生じることがなく、多量のゴム風船３を用いて風船飛ばしの催物をする場合に有用である。
【考案を実施するための最良の形態】
【００１９】
本考案に係るゴム風船用止め具は、生分解性樹脂で成形された止め具本体１と、これに巻き付けられて所定長さを持つ木綿製の糸２とからなる。図１において、止め具本体１は左右幅寸法が小さくて上下縦長の薄板状に形成されており、具体的には上下長さ寸法を３５mm、左右幅寸法を７mm、前後厚み寸法を１mmとした。
【００２０】
止め具本体１の板面の上方部位には、ゴム風船３の口部３ａを挟んで封じるための止め孔５が貫通状に形成されており、止め具本体１の左側縁１３の上方部位に、ゴム風船３の口部３ａを止め孔５に導入案内するための導入口６が、止め孔５と連通する状態でＶ字形に切り欠き形成されている。
【００２１】
止め具本体１の右側縁１５の上方部位には、導入口６と対向する部位に、止め具本体１にゴム風船３の口部３ａを巻き付けるための風船用凹み１０が形成されている。止め具本体１の左右側縁１３・１５には、止め孔５よりも下方部位において、止め具本体１に糸２を巻き付けるための糸巻き用凹み７が形成されている。止め具本体１の上端縁１４には、止め孔５に通した糸２の巻始端を掛け止める切り込み９が縦向きに入っている。
【００２２】
図２において、糸２は導入口６を介して止め孔５に通したのち、巻始端を切り込み９に掛け止め、ついで止め具本体１の糸巻き用凹み７に巻き付ける。糸２の巻尻端は、図２に示すごとく粘着テープ１７などを用いて止め具本体１に解けないよう止め付けておく。
【００２３】
本考案のゴム風船用止め具の使用に際しては、ヘリウムガスなどを注入してゴム風船３を膨らましておき、片方の手で止め具本体１の下方部分をつかみながらゴム風船３の口部３ａを止め具本体１の板面に押え付け、他方の手でゴム風船３をつかんでその口部３ａを導入口６を介して止め孔５に通し（図３参照）、そのまま口部３ａを引っ張って風船用凹み１０に案内し、止め具本体１に巻き付ける。更にゴム風船３の口部３ａを再び導入口６を介して止め孔５に通す。止め具本体１へのゴム風船３の口部３ａの巻き付け回数を増やすほど、口部３ａの封止力はアップする。これで図１の使用状態となる。
【００２４】
止め孔５は直径約３mmで、図４および図５に示すようにゴム風船３の口部３ａを少なくとも二重に挿通できる（止め具本体１に一周させる）程度に設定してあるので、口部３ａはこれ自体の膨張圧力と相まって止め孔５に完全に挟持されて密封される。もって止め孔５の二点と、風船用凹み１０の一点の計三点で口部３ａが封止されているので、確実にガス漏れを防ぐことができると同時に、口部３ａで糸２も止め孔５の周縁に押さえ付けられるので、糸２の巻始端が止め具本体１から抜け外れることはない。
【００２５】
この状態から、止め具本体１から糸２を解き放つ。これは止め具本体１にゴム風船３の口部３ａを連結する前に行ってもよい。最後に糸２の巻尻端を確りとつかんでおくことにより、空中にゴム風船３を浮かすことができる。糸２の巻尻端から手を放せば風船飛ばしに供することができる。
【００２６】
なお、図６のように、糸２の巻尻端は、止め具本体１に設けたスリット１８に掛け止めるようにしてもよい。
【図面の簡単な説明】
【００２７】
【図１】ゴム風船用止め具とこれの使用状態とを示す正面図
【図２】不使用時に糸を止め具本体に掛け止めた状態での正面図
【図３】図３（ａ）はゴム風船の口部を示す斜視図、図３（ｂ）は止め具本体に対するゴム風船の取り付け要領を説明する要部の斜視図
【図４】止め具本体にゴム風船の口部と糸とを装着した状態での縦断側面図
【図５】止め具本体にゴム風船の口部を装着した状態での横断平面図
【図６】本考案の別実施例を示す要部の拡大正面図
【符号の説明】
【００２８】
１  止め具本体
２  糸
３  ゴム風船
３ａ  ゴム風船の口部
５  止め孔
６  導入口
７  糸巻き用凹み
９  切り込み
１０  風船用凹み
【図１】
0003113547.tif 000003
【図２】
0003113547.tif 000004
【図３】
0003113547.tif 000005
【図４】
0003113547.tif 000006
【図５】
0003113547.tif 000007
【図６】
0003113547.tif 000008